(57)【要約】【課題】小型化されたことによってカムフォロアを支持する部位の面積が極限されているレンズ保持枠に対して、十分な接合面積、接合強度を確保しつつカムフォロアを組み付けることができる接合構造を備えたレンズ鏡胴、これを備えたカメラ、画像投影装置を提供する。【解決手段】レンズ保持枠１１、２１を夫々個別に光軸方向へ進退可能に支持すると共に各レンズ保持枠の回転を禁止するライナー部材３１と、ライナー部材の外周面に沿って回転自在に配置されると共に光軸に対して斜行する複数のカム溝４３を備えたカム部材４１と、各レンズ保持枠に取り付けられて各カム溝に係合してガイドされるカムフォロア５１、５２と、を備えたレンズ鏡胴１において、カムフォロア又はレンズ保持枠の何れか一方には、光軸方向へ延びる凸形状部１２ｂが設けられ、他方には凸形状部に嵌合する凹形状部５１ｂ−１が形成されている。【選択図】　　　図２
2004117398.tif 000002
【特許請求の範囲】
【請求項１】
レンズを保持して光軸方向に移動する複数のレンズ保持枠と、各レンズ保持枠を夫々個別に光軸方向へ進退可能に支持すると共に各レンズ保持枠の光軸を中心とした回転を禁止する固定側のライナー部材と、該ライナー部材の外周面に沿って回転自在に配置されると共に光軸に対して斜行する複数のカム溝を備えたカム部材と、前記各レンズ保持枠の外周部に夫々取り付けられて前記カム部材の各カム溝に係合してガイドされることによりカム部材の回転時に各レンズ保持枠を夫々光軸方向に進退させるカムフォロアと、を備えたレンズ鏡胴において、
前記カムフォロア又は前記レンズ保持枠の何れか一方には、光軸方向へ延びる凸形状部が設けられ、他方には該凸形状部に嵌合する凹形状部が形成されており、
前記凸形状部に対して前記凹形状部を光軸方向にスライドさせて嵌合させることにより、前記カムフォロアを前記レンズ保持枠に取り付けたことを特徴とするレンズ鏡胴。
【請求項２】
レンズを保持して光軸方向に移動する複数のレンズ保持枠と、各レンズ保持枠を夫々個別に光軸方向へ進退可能に支持すると共に各レンズ保持枠の光軸を中心とした回転を禁止する固定側のライナー部材と、該ライナー部材の外周面に沿って回転自在に配置されると共に光軸に対して斜行する複数のカム溝を備えたカム部材と、前記各レンズ保持枠の外周部に夫々取り付けられて前記カム部材の各カム溝に係合してガイドされることによりカム部材の回転時に各レンズ保持枠を夫々光軸方向に進退させるカムフォロアと、を備えたレンズ鏡胴において、
前記カムフォロアは、前記カム溝と係合するカムフォロア本体と、該カムフォロア本体を支持するカムフォロア基部と、を備え、
前記カムフォロア基部又は前記レンズ保持枠の何れか一方の光軸方向一端面には光軸方向へ延びる凹形状部を備え、他方には該凹形状部に嵌合する凸形状部が設けられ、
前記凹形状部に対して前記凸形状部を光軸方向にスライドさせて嵌合させることにより、前記カムフォロア基部を前記レンズ保持枠に取り付けたことを特徴とするレンズ鏡胴。
【請求項３】
前記カムフォロアと前記レンズ保持枠とを接着により接合したことを特徴とする請求項１、又は２に記載のレンズ鏡胴。
【請求項４】
前記カムフォロアは、前記ライナー部材の光軸方向ガイドスリットと係合することにより、回転を禁止されつつ光軸方向への移動を許容されることを特徴とする請求項１、又は２に記載のレンズ鏡胴。
【請求項５】
前記カムフォロアは、少なくとも、別部材としての、前記カム溝と係合するカムフォロア本体と、該カムフォロア本体を支持するカムフォロア基部と、を連結した構成を備えていることを特徴とする請求項１、２、３又は４の何れか一項に記載のレンズ鏡胴。
【請求項６】
前記レンズ保持枠と前記カムフォロアとの光軸方向の相対位置関係を調整することにより、各レンズ保持枠により保持されたレンズ間隔、ピント位置を調整することを特徴とする請求項１乃至５の何れか一項に記載のレンズ鏡胴。
【請求項７】
前記カムフォロアと前記レンズ保持枠は、何れか一方の材質が金属材料であり、他方の材質が樹脂材料であることを特徴とする請求項１乃至６の何れか一項に記載のレンズ鏡胴。
【請求項８】
前記カムフォロアと前記レンズ保持枠との接合部は、弾性応力を用いた接合構造であることを特徴とする請求項１乃至７の何れか一項に記載のレンズ鏡胴。
【請求項９】
前記弾性応力を用いた接合構造は、圧入によるものであることを特徴とする請求項８に記載のレンズ鏡胴。
【請求項１０】
前記レンズ保持枠と前記カムフォロアの回転方向の相対位置関係を変位させることにより、画像品質を調整する構成を備えたことを特徴とする請求項２乃至９の何れか一項に記載のレンズ鏡胴。
【請求項１１】
請求項１乃至１０の何れか一項に記載のレンズ鏡胴を備えたことを特徴とするカメラ。
【請求項１２】
請求項１乃至１０の何れか一項に記載のレンズ鏡胴を備えたことを特徴とする画像投影装置。
【発明の詳細な説明】
【０００１】
【発明の属する技術分野】
本発明は複数組の撮影レンズを個別に進退させることにより焦点距離を異ならせるようにしたズームレンズ鏡筒の改良に関し、特に撮影レンズを保持したレンズ保持枠をカム部材のカム溝に係合させるカムフォロアの支持構造の改良に関するものである。
【０００２】
【従来の技術】
近年、撮影レンズの焦点距離が最短であるときの広角状態と、最長であるときの望遠状態とを選択的に切り替えることができるズームレンズ鏡胴等の可変焦点装置を備えたカメラが普及している。この種のカメラとしては、例えばデジタルカメラ、ビデオカメラ、銀塩カメラ等が知られている。
ところで、この種の可変焦点装置を備えたカメラに対するユーザーのニーズは多岐に渡ってきており、特にカメラ形状の小型化と、撮影画角の広画角化が強く求められている。このニーズに合わせるために、ズームレンズ鏡胴の小型化、広画角化が進んでいる。
ズームレンズ鏡胴は、回転自在に支持された円筒状のカム部材の内部に光軸方向に沿って複数組の撮影レンズを軸方向へ独立して進退自在に支持した構成を備えている。具体的には、各撮影レンズ（群）を支持する各レンズ保持枠の外周から外径方向へ突設させたカムフォロアを、カム部材の内周面に形成した光軸と斜行する複数のカム溝（螺旋溝）内に夫々係合させることにより、カム部材の回転に伴って各カムフォロアが光軸方向へ移動するように構成されている。
このようにカム部材によりレンズ保持枠を光軸方向に移動するズームレンズ鏡胴において、レンズ保持枠に対してカムフォロアを組付ける従来の構造としては、例えばレンズ保持枠とカムフォロアとを一体成型する構造、レンズ保持枠に設けられた光軸と直交する穴内にカムフォロアを圧入する構造、レンズ保持枠に光軸と直交する方向にカムフォロアをネジ止めする構造、又はカムフォロアを接着する構造、等々が採用されてきた。
特開２０００−１３１５８９公報（特許文献１）には、レンズ保持枠に嵌入されるカムフォロアの軸部にエッジ部（フランジ部）を形成し、カムフォロアに抜け方向や倒れ方向への力が作用した時に前記エッジ部が前記レンズ保持枠に食い込むことにより前記軸部の抜けを防止したカムフォロアとレンズ鏡胴を開示している。
【特許文献１】特開２０００−１３１５８９公報
【０００３】
【発明が解決しようとする課題】
しかし、特許文献１に記載のカムフォロアとレンズ保持枠との接合構造では、小型化や組み立て方法の関係で、接合部の接合面積を大きくすることに限界があり、レンズ保持枠に外力や衝撃を受けた場合に、その力はレンズ保持枠とカムフォロアの限られた接合面積に作用し、レンズ保持枠またはカムフォロアの変形が発生し、レンズ保持枠に対しカムフォロアが傾く、レンズ保持枠よりカムフォロアが脱落する、などの問題が発生する。
本発明は上記に鑑みてなされたものであり、小型化されてカムフォロアを支持する部位の面積が極限されているレンズ保持枠に対して、十分な接合面積、接合強度を確保しつつカムフォロアを組み付けることができる接合構造を備えたレンズ鏡胴、これを備えたカメラ、画像投影装置を提供することを課題とする。
【０００４】
【課題を解決するための手段】
上記課題を解決するため、請求項１の発明は、レンズを保持して光軸方向に移動する複数のレンズ保持枠と、各レンズ保持枠を夫々個別に光軸方向へ進退可能に支持すると共に各レンズ保持枠の光軸を中心とした回転を禁止する固定側のライナー部材と、該ライナー部材の外周面に沿って回転自在に配置されると共に光軸に対して斜行する複数のカム溝を備えたカム部材と、前記各レンズ保持枠の外周部に夫々取り付けられて前記カム部材の各カム溝に係合してガイドされることによりカム部材の回転時に各レンズ保持枠を夫々光軸方向に進退させるカムフォロアと、を備えたレンズ鏡胴において、前記カムフォロア又は前記レンズ保持枠の何れか一方には、光軸方向へ延びる凸形状部が設けられ、他方には該凸形状部に嵌合する凹形状部が形成されており、前記凸形状部に対して前記凹形状部を光軸方向にスライドさせて嵌合させることにより、前記カムフォロアを前記レンズ保持枠に取り付けたことを特徴とする。
レンズ鏡胴が衝撃を受けた際に、内蔵されたレンズ保持枠とカム部材のカム溝とを連結するカムフォロアが、レンズ保持枠に対して十分な強度にて固定されていることは重要である。しかし、小型化されたレンズ保持枠とカムフォロアとの接合強度を十分に確保することは容易ではない。本発明では、カム溝と係合するカムフォロアの軸方向と直交する光軸方向に延びる突条（凸形状部）と、この突条にスライド結合する溝（凹形状部）とから成る接合部を設けることにより、レンズ保持枠とカムフォロアとの接合面積を大きくしたので、衝撃力を分散することができ、レンズ保持枠に対するカムフォロアの傾き、脱落を防止することが可能となる。突条、溝ともに、十分な長さを有するように構成し、両者の接合面積を大きくした点が特徴的である。
【０００５】
請求項２の発明は、レンズを保持して光軸方向に移動する複数のレンズ保持枠と、各レンズ保持枠を夫々個別に光軸方向へ進退可能に支持すると共に各レンズ保持枠の光軸を中心とした回転を禁止する固定側のライナー部材と、該ライナー部材の外周面に沿って回転自在に配置されると共に光軸に対して斜行する複数のカム溝を備えたカム部材と、前記各レンズ保持枠の外周部に夫々取り付けられて前記カム部材の各カム溝に係合してガイドされることによりカム部材の回転時に各レンズ保持枠を夫々光軸方向に進退させるカムフォロアと、を備えたレンズ鏡胴において、前記カムフォロアは、前記カム溝と係合するカムフォロア本体と、該カムフォロア本体を支持するカムフォロア基部と、を備え、前記カムフォロア基部又は前記レンズ保持枠の何れか一方の光軸方向一端面には光軸方向へ延びる凹形状部を備え、他方には該凹形状部に嵌合する凸形状部が設けられ、前記凹形状部に対して前記凸形状片を光軸方向にスライドさせて嵌合させることにより、前記カムフォロア基部を前記レンズ保持枠に取り付けたことを特徴とする。
レンズ保持枠、或いはカムフォロアの何れか一方に設けた周方向への溝部（凹形状部）と、他方に設けた差込片（凸形状部）とを嵌合させるようにしたので、レンズ保持枠とカムフォロアの接合面面積を大きくし、衝撃力を分散しカムフォロアの傾き、脱落の発生防止することができる。
請求項３の発明は、請求項１又は２において、前記カムフォロアと前記レンズ保持枠とを接着により接合したことを特徴とする。
カムフォロアとレンズ保持枠の凹凸接合部を接着剤により接合することにより、カムフォロアとレンズ保持枠との相対位置関係を調整変更した後に接合することが可能となる。
【０００６】
請求項４の発明は、請求項１又は２において、前記カムフォロアは、前記ライナー部材の光軸方向ガイドスリットと係合することにより、回転を禁止されつつ光軸方向への移動を許容されることを特徴とする。
カムフォロアにライナー部材と摺動自在に係合する部位を設けることにより、レンズ保持枠にライナー部材と係合する部位を設ける必要をなくし、レンズ保持枠形状を簡素化し加工を容易にすることができる。
請求項５の発明は、請求項１乃至４において、前記カムフォロアは、少なくとも、別部材としての、前記カム溝と係合するカムフォロア本体と、該カムフォロア本体を支持するカムフォロア基部と、を連結した構成を備えていることを特徴とする。
カムフォロアを、カム溝に係合するカムフォロア本体と、レンズ保持枠に接合するカムフォロア基部との２部品から構成したので、両部品を材質、特性の異なる任意の材質にすることが可能となり、作動性、加工性をよくすることができる。
請求項６の発明は、請求項１乃至５において、前記レンズ保持枠と前記カムフォロアとの光軸方向の相対位置関係を調整することにより、各レンズ保持枠により保持されたレンズ間隔、ピント位置を調整することを特徴とする。
レンズ保持枠に対するカムフォロアの光軸方向の取付け位置を変位させることにより、レンズ群間隔、ピント位置の調整を格別な調整機構を設けることなく実現できる。
請求項７の発明は、請求項１乃至６において、前記カムフォロアと前記レンズ保持枠は、何れか一方の材質が金属材料であり、他方の材質が樹脂材料であることを特徴とする。
カムフォロアとレンズ保持枠の材質を、一方は金属材料で、他方を樹脂材料にすることにより強度、外観品質、作動特性などを向上することができる。
請求項８の発明は、請求項１乃至７において、前記カムフォロアと前記レンズ保持枠との接合部は、弾性応力を用いた接合構造であることを特徴とする。
カムフォロアとレンズ保持部材の接合を弾性応力を用いた接合構造とすることにより、組み立てを簡便にすることができる。
【０００７】
請求項９の発明は、請求項８において、前記弾性応力を用いた接合構造は、圧入によるものであることを特徴とする。
弾性応力を用いた手段を圧入にすることにより、接合部形状を簡略化でき、組み立てを簡便にすることができる。
請求項１０の発明は、請求項２乃至９において、前記レンズ保持枠と前記カムフォロアの回転方向の相対位置関係を変位させることにより、画像品質を調整する構成を備えたことを特徴とする。
レンズ保持枠と、カムフォロアの光軸を中心とした回転方向の相対位置を変位させて画像品質を調整することにより、別に調整機構を設けることなく調整を可能にすることができる。
請求項１１の発明に係るカメラは、請求項１乃至１０の何れか一項に記載のレンズ鏡胴を備えたことを特徴とする。
これによれば、上記各請求項に記載の優れた作用効果を奏するレンズ鏡胴を搭載したカメラを提供することができる。
請求項１２の発明に係る画像投影装置は、請求項１乃至１０の何れか一項に記載のレンズ鏡胴を備えたことを特徴とする。
これによれば、上記各請求項に記載の優れた作用効果を奏するレンズ鏡胴を搭載した画像投影装置を提供することができる。
【０００８】
【発明の実施の形態】
以下、本発明を図面に示した実施の形態により詳細に説明する。
なお、以下に示す実施の形態は一例に過ぎず、本発明の技術的範囲を限定的に解釈する要素とはならない。
図１（ａ）（ｂ）及び（ｃ）は本発明の一実施形態に係るレンズ鏡胴を適用したデジタルカメラの鏡胴組み立て状態の外観斜視図、分解斜視図、及び要部構成図である。
このレンズ鏡胴１は、カメラ本体側のベース枠２に組み付けられ、更にベース枠２側に設けた駆動機構３によってレンズ鏡胴１を構成する各可動部材を駆動するように構成されている。
レンズ鏡胴１は、第１及び第２の撮影レンズ（群）を夫々保持して光軸方向に移動する第１及び第２のレンズ保持枠２１、２２と、各レンズ保持枠２１、２２を夫々個別に光軸方向へ進退可能に支持すると共に各レンズ保持枠の光軸を中心とした回転を禁止するためにベース枠２にネジ等によって固定された円筒状のライナー部材３１と、ライナー部材３１の外周面に沿って回転自在に配置されると共に光軸に対して斜行する複数のカム溝を備えたカム部材４１と、各レンズ保持枠２１、２２の外周部に夫々取り付けられてカム部材４１の各カム溝４３に係合してガイドされることによりカム部材４１の回転時に各レンズ保持枠２１、２２を夫々光軸方向に進退させるカムフォロア５１、５２と、両レンズ保持枠２１、２２間に配置されて両者を光軸方向に付勢するコイルバネ５５と、第１のレンズ枠２１の前面側から取り付けられるカバー６０と、を備えている。
ライナー部材３１の円筒状部分には軸方向へ延びる光軸方向ガイドスリット３１ａが周方向に所定のピッチで複数本（この例では３本）形成されており、各レンズ保持枠２１、２２の外周部から外径方向へ夫々突出するカムフォロア５１、５２は各光軸方向ガイドスリット３１ａを介して外径方向へ突出し、ライナー部材３１の外径側に同心円状に配置された円筒状のカム部材４１の内周面に設けた複数のカム溝４３と夫々カム係合している。各カム溝４３は、カム部材４１の光軸方向に対して斜行する方向へ延びる溝であり、螺旋状に構成されている。つまり、各カムフォロア５１、５２がライナー部材３１の光軸方向ガイドスリット３１ａ内に嵌合することによって両レンズ保持枠２１、２２により支持された各レンズは、回転方向への動きを禁止される一方で、光軸方向への直進動作を許容される。
更に、各カムフォロア５１、５２がカム部材４１のカム溝４３内にカム係合することによって、カム部材４１が駆動機構３によって回転駆動されたときに各レンズ保持枠２１、２２は、回転することなく光軸方向へ直線的に進退することができる。
駆動機構３は、ベース枠２に取り付けられたカム駆動手段としてのズームモータ７０と、ズーム減速系７１と、フォーカスモータ７５等を備えている。ズームモータ７０からの駆動力はズーム減速系７１を介してカム部材４１の一端外周に設けたギヤに伝達されてこれを回転駆動する。ズーム減速系７１によりカム部材４１を正逆回動することにより、第１及び第２のレンズ保持枠２１、２２を光軸方向に進退させ、ズーム、収納動作を行う。
ズーム駆動位置の検出は、フォトインタラプタ７２によって、ズーム減速系７１の軸の一つに取り付けられたズーム遮光羽７３を検出し、この検出結果に基づいてズームモータ７０の回転量を検出することにより行なわれる。
なお、フォーカス駆動は、図示しない第３の撮影レンズを、フォーカスモータ７５と不図示の減速手段によって駆動することにより実現され、フォーカス駆動位置の検出は位置検出手段によって行われる。
【０００９】
次に、図２（ａ）及び（ｂ）は第１のレンズ保持枠１１にカムフォロア５１を組み付けた状態を示す斜視図、及び分解斜視図、図３はカムフォロアがライナー部材３１とカム部材４１に係合した状態の断面図、図４は第１のレンズ保持枠にカバーを取り付けた状態を後方から見た図である。
第１のレンズ保持枠１１は後端縁に所定の周方向ピッチにて複数のカムフォロア装着用の張り出し片１２を突設し、各張り出し片１２の後端縁中央部には切欠き状の凹所１２ａが形成されている。凹所１２ａの対向し合う２つの内周縁には光軸方向へ延びる突条（凸形状部）１２ｂが形成されている。
一方、カムフォロア５１は、カム部材４１の内周面のカム溝４３と係合するカムフォロア本体５１ａと、カムフォロア本体５１ａを支持するカムフォロア基部５１ｂと、を備えている。カムフォロア本体５１ａとカムフォロア基部５１ｂとは、予め一体成形されてもよいし、別部材としての両者を結合一体化した構成としてもよい。基部５１ｂの対向し合う２つの外壁には、第１のレンズ保持枠１１の凹所１２ａ内に設けた突条１２ｂとスライド係合する溝（凹形状部）５１ｂ−１を光軸方向へ向けて設ける。
図２（ｂ）に示した如き位置関係で、凹所１２ａの開口側から光軸方向に向けてカムフォロア５１の基部５１ｂを差し込んで、溝部５１ｂ−１を突条１２ｂにスライド装着することができる。この際、接着剤により両者を接合してもよいし、溝部５１ｂ−１内と突条１２ｂを弾性的な圧着力によって固定してもよい。後者の場合、溝部５１ｂ−１と突条１２ｂのうちの少なくとも何れか一方を樹脂等の弾性材料にて構成して、その弾性力を利用して圧着を実現する。このようにカムフォロア基部５１ｂとレンズ保持枠５１との接合部を、弾性応力を用いた接合構造とすることにより、螺子止め、接着等を用いずに簡易に固定することが可能となる。
或いはまた、溝部５１ｂ−１内に突条１２ｂを圧入することにより、強固な固定を実現してもよい。つまり、弾性応力を利用した圧入を行うことにより、接合部形状を簡略化することができ、組み立て作業を簡便に行うことが可能となる。
【００１０】
図３の断面図ように、カムフォロアの本体５１ａをカム部材４１のカム溝４３内に摺動自在に嵌合させる一方で、カムフォロア基部５１ｂの上部に位置するキー面５１ｂ−２をライナー部材３１の光軸方向ガイドスリット３１ａ内にスライド自在に係合させる。このため、レンズ保持枠にライナー部材と係合する部位を設ける必要をなくし、レンズ保持枠形状を簡素化し加工を容易にすることができる。
また、レンズ保持枠１１とカムフォロア５１との光軸方向の相対位置関係を任意に調整することにより、各レンズ保持枠５１、５２により夫々保持されたレンズ間隔、ピント位置を調整することが可能である。即ち、突条１２ｂに対する溝５１ｂ−１の位置関係は、凹所１２ａの最奥部まで基部５１ｂを差込んで固定する必要はなく、凹所２１ａ内におけるカムフォロア５１の光軸方向位置は微調整可能であり、微調整する結果、レンズ間隔、ピント位置を微調整することが可能となる。
なお、上記実施形態では、第１のレンズ保持枠１１側に設けた切欠き状の凹所１２ａ内に光軸方向へ延びる突条１２ｂを形成し、これと凹凸嵌合する溝５１ｂ−１をカムフォロア側に設けたが、これと逆に凹所１２ａ内に光軸方向へ延びる溝を設けると共に、カムフォロアの基部外周に溝と嵌合する突条を設けても良い。
また、カムフォロア５１とレンズ保持枠１１（特に、張り出し片１２）は、何れか一方の材質を金属材料とし、他方の材質を樹脂材料とすることにより、機械的強度、耐久性、外観品質、作動特性を向上することができる。
次に、第２のレンズを保持する第２のレンズ保持枠２１に取り付けられたカムフォロア５２は、カム部材４１のカム溝４３内に嵌合する円筒状のカムフォロア本体５２ａと、第２のレンズ保持枠２１の外周面に所定の周方向ピッチにて形成した支持孔２１ａに圧入固定される固定軸５２ｂと、を備えている。カムフォロア本体５２ａは、その中間部にてライナー部材３１の光軸方向ガイドスリット３１ａにも遊嵌する。
第１のレンズ保持枠１１と第２のレンズ保持枠１２の軸方向間隔は、第１のレンズ保持枠１１に対するカムフォロア５１の光軸方向位置を調整することにより、変更可能となる。
カバー６０は、環状のカバー本体６１と、カバー本体６１の裏面から後方へ延びる脚部６２とからなり、脚部６２を第１のレンズ保持枠１１の前部開口から差し込むことにより、固定可能となる。
【００１１】
次に、図５（ａ）及び（ｂ）は本発明のレンズ鏡胴に用いる第１のレンズ保持枠及びカムフォロアの他の実施形態の外観斜視図、及びＡ−Ａ断面図である。
この第１のレンズ保持枠８１は、図１に示したレンズ保持枠１１に代えてレンズ鏡胴１に適用されるものである。
第１のレンズ（群）Ｌを内部に保持した円筒状の第１のレンズ保持枠８１は、円筒状の本体８２と、本体８２内壁から内径方向へ延びてレンズＬの外周を保持する保持部８３と、保持部８３から後方へ延び且つ本体８２の後端縁８２ａの内壁との間に溝部（凹形状部）８４を形成する張り出し片８５と、を備えている。この張り出し片８５及び溝部８４は、周方向全長、又は周方向に所定のピッチ（例えば、１２０度間隔）にて配置される。図示の例では、周方向全長にわたって張り出し片８５と溝部８４が形成されているが、周方向全長にわたらない所定の周方向長と、光軸方向長を有する構成でもよい。この溝部８４内にカムフォロア９１を支持する。溝部８４は、光軸を中心とした円形、或いは円弧形状である。カムフォロア９１は、カム部材４１に設けたカム溝４３（図３参照）と係合するカムフォロア本体９２と、カムフォロア本体９２を支持するカムフォロア基部９３と、を備えている。
カムフォロア基部９３は、その前面に溝部８４内に嵌合可能な寸法、形状を有した差込片（凸形状部）９３ａを有する環状体であり、径方向に所定のピッチにて延びる穴９３ｂを有する。差込片９３ａを溝部８４内に差込み固定することにより、位置決め固定を行い、穴９３ｂ内にカムフォロア本体９２の一部（小径部）を差し込むことによりカムフォロア９１を固定する。
溝部８４と差込片９３ａとの固定、穴９３ｂとカムフォロア本体９２との固定は、弾性結合、圧入、接着等、任意の方法を採用できる。
カムフォロア本体９２とカムフォロア基部９３とは、樹脂、金属等の同一材料であっても良いし、一方を樹脂、他方を金属としてもよい。この場合には、強度、外観品質、作動特性を向上することができる。
【００１２】
また、レンズ保持枠８１とカムフォロア９１との光軸方向の相対位置関係を任意に調整することにより、各レンズ保持枠８１、５２により夫々保持されたレンズ間隔、ピント位置を調整することが可能である。即ち、溝部８４に対する差込片９３ａの光軸方向位置関係（差込深さ）は、溝部８４の最奥部まで差込片９３ａを密着させて固定する必要はなく、溝部８４内におけるカムフォロア９１の光軸方向位置は微調整可能であり、微調整する結果、レンズ間隔、ピント位置を微調整することが可能となる。
更に、レンズ保持枠８１とカムフォロア９１の回転方向の相対位置関係を変位させることにより、画像品質を調整することが可能となる。即ち、溝部８４内における差込片９３ａの周方向位置は任意に調整可能であるため、溝部８４に対するカムフォロア９１の周方向位置を微調整できる。
なお、上記実施形態では、レンズ保持枠８１側に溝部８４を設け、カムフォロア９１側に差込片９３ａを設けたが、これとは逆に、カムフォロア９１側に溝部を設け、レンズ保持枠８１側に差込片を設けても良い。
なお、上記各実施形態では、いずれも第１の撮影レンズを保持した第１のレンズ保持枠１１、８１に対するカムフォロア５１、９１の結合構造についてのみ説明したが、第２のレンズ保持枠２１とカムフォロア５２との関係についても適用することができる。
なお、本発明に係るレンズ鏡胴１は、デジタルカメラ、銀塩カメラ、画像投影装置等、ズームレンズ鏡胴を備えるべき光学機器に適用することができる。
【００１３】
【発明の効果】
以上のように本発明によれば、撮影レンズを保持した複数のレンズ保持枠を光軸方向へ進退自在に支持したレンズ鏡胴において、小型化されたことによってカムフォロアを支持する部位の面積が極限されているレンズ保持枠に対して、十分な接合面積、接合強度を確保しつつカムフォロアを組み付けることができる接合構造を備えたレンズ鏡胴、これを備えたカメラ、画像投影装置を提供することを課題とする。
即ち、請求項１の発明によれば、カム溝と係合するカムフォロアの軸方向と直交する光軸方向に延びる突条（凸形状部）と、この突条にスライド結合する溝（凹形状部）とから成る接合部を設けることにより、レンズ保持枠とカムフォロアとの接合面積を大きくしたので、衝撃力を分散することができ、レンズ保持枠に対するカムフォロアの傾き、脱落を防止することが可能となる。
請求項２の発明によれば、レンズ保持枠、或いはカムフォロアの何れか一方に設けた周方向への溝部（凹形状部）と、他方に設けた差込片（凸形状部）とを嵌合させるようにしたので、レンズ保持枠とカムフォロアの接合面面積を大きくし、衝撃力を分散しカムフォロアの傾き、脱落の発生防止することができる。
請求項３の発明は、　カムフォロアとレンズ保持枠の凹凸接合部を接着剤により接合することにより、カムフォロアとレンズ保持枠との相対位置関係を調整変更した後に接合することが可能となる。
請求項４の発明は、カムフォロアにライナー部材と摺動自在に係合する部位を設けることにより、レンズ保持枠にライナー部材と係合する部位を設ける必要をなくし、レンズ保持枠形状を簡素化し加工を容易にすることができる。
請求項５の発明は、カムフォロアを、カム溝に係合するカムフォロア本体と、レンズ保持枠に接合するカムフォロア基部との２部品から構成したので、両部位を材質、特性の異なる任意の材質にすることが可能となり、作動性、加工性をよくすることができる。
請求項６の発明によれば、レンズ保持枠に対するカムフォロアの光軸方向の取付け位置を変位させることにより、レンズ群間隔、ピント位置の調整を格別な調整機構を設けることなく実現できる。
【００１４】
請求項７の発明によれば、カムフォロアとレンズ保持枠の材質を、一方は金属材料で、他方を樹脂材料にすることにより強度、外観品質、作動特性などを向上することができる。
請求項８の発明によれば、カムフォロアとレンズ保持部材の接合を弾性応力を用いた接合構造とすることにより、組み立てを簡便にすることができる。
請求項９の発明によれば、弾性応力を用いた手段を圧入にすることにより、接合部形状を簡略化でき、組み立てを簡便にすることができる。
請求項１０の発明によれば、レンズ保持枠と、カムフォロアの光軸を中心とした回転方向の相対位置を変位させて画像品質を調整することにより、別に調整機構を設けることなく調整を可能にすることができる。
請求項１１の発明に係るカメラによれば、上記各請求項に記載の優れた作用効果を奏するレンズ鏡胴を搭載したカメラを提供することができる。
請求項１２の発明に係る画像投影装置によれば、上記各請求項に記載の優れた作用効果を奏するレンズ鏡胴を搭載した画像投影装置を提供することができる。
【図面の簡単な説明】
【図１】（ａ）（ｂ）及び（ｃ）は本発明の一実施形態に係るレンズ鏡胴を適用したデジタルカメラの鏡胴組み立て状態の外観斜視図、分解斜視図、及び要部構成図。
【図２】（ａ）及び（ｂ）は第１のレンズ保持枠にカムフォロアを組み付けた状態を示す斜視図、及び分解斜視図。
【図３】カムフォロアがライナー部材とカム部材に係合した状態の断面図。
【図４】第１のレンズ保持枠にカバーを取り付けた状態を後方から見た図。
【図５】（ａ）及び（ｂ）は本発明の他の実施形態に係る鏡胴の構成図。
【符号の説明】
１　レンズ鏡胴、２　ベース枠、３　駆動機構、２１、２２　第１及び第２のレンズ保持枠、３１　ライナー部材、３１ａ　光軸方向ガイドスリット、４１　カム部材、４３　カム溝、５１、５２　カムフォロア、５５　コイルバネ、１２張り出し片、１２ａ　凹所、１２ｂ　凸形状部（突条）、５１ａ　カムフォロア本体、５１ｂ　カムフォロア基部、５１ｂ−１　凹形状部（溝部）、６０　カバー、６１　カバー本体、６２　脚部、７０　ズームモータ、７１　ズーム減速系、７５　フォーカスモータ、８１　第１のレンズ保持枠、８２　本体、８２ａ後端縁、８３　保持部、８４　凹形状部（溝部）、８５　張り出し片、９１　カムフォロア、９２　カムフォロア本体、９３　カムフォロア基部、９３ａ　凸形状部（差込片）、９３ｂ　穴。
【図１】
2004117398.tif 000003
【図２】
2004117398.tif 000004
【図３】
2004117398.tif 000005
【図４】
2004117398.tif 000006
【図５】
2004117398.tif 000007